(57)【要約】【課題】この発明の課題は、装置本体で処理済みの媒体を積載するスタッカ機構において、スタッカを極力コンパクトに折りたたんで収納できるようにすることで、装置の非稼働時の設置スペースや装置梱包時の梱包容積を縮小することができるようになるスタッカ機構を実現することにある。【解決手段】図２に示すように、媒体排出ローラー３から排出された処理済み媒体を積載する装置本体部２の本体側媒体受け部２ａおよびスタッカ折りたたみ部１を備え、このスタッカ折りたたみ部１の媒体受け面１ａが、折りたたまれた状態から開いたとき、装置本体部２の本体側媒体受け部２ａより低い位置に固定されるように回転支点部４を設けるように構成する。また、この回転支点部４を媒体受け面１ａの近傍に設置することで、極力コンパクトに収納できるように構成する。【選択図】　　　　　　図２
2004051350.tif 000002
【特許請求の範囲】
【請求項１】
装置本体で処理済みの媒体を積載するスタッカ機構において、
排紙されてきた媒体を積載するスタッカと、
スタッカ折りたたみ部を折りたたんだ状態から開いたとき、スタッカ折りたたみ部の媒体受け面が本体側媒体受け部より低い位置に固定されるように回転支点を設けた、スタッカ折りたたみ手段と、
を備えることを特徴とするスタッカ機構。
【請求項２】
装置本体で処理済みの媒体を積載するスタッカ機構において、
前記スタッカ折りたたみ手段として、スタッカ折りたたみ部の本体側の端部付近でスタッカ折りたたみ部の媒体受け面付近に回転支点を持つ、
ことを特徴とする請求項１記載のスタッカ機構。
【請求項３】
装置本体で処理済みの媒体を積載するスタッカ機構において、
前記スタッカ折りたたみ手段として、折りたたまれたスタッカを開いた後、スタッカ折りたたみ部を本体側にスライドして寄せる手段を持つ、
ことを特徴とする請求項１または２記載のスタッカ機構。
【請求項４】
装置本体で処理済みの媒体を積載するスタッカ機構において、
前記スタッカ折りたたみ手段として、折りたたまれたスタッカを開いた後、スタッカ折りたたみ部を本体側にスライドして寄せたとき、スタッカ折りたたみ部の本体側端部を上から押さえる手段を備える、
ことを特徴とする請求項３記載のスタッカ機構。
【請求項５】
装置本体で処理済みの媒体を積載するスタッカ機構において、
前記スタッカ折りたたみ手段として、スタッカを開くと、本体部に押し付ける力を発生するバネ圧により、自動的にスタッカ折りたたみ部が本体部にスライドして寄せられる手段を備える、
ことを特徴とする請求項３または４記載のスタッカ機構。
【請求項６】
装置本体で処理済みの媒体を積載するスタッカ機構において、
前記排紙されてきた媒体を積載するスタッカとして、スタッカにスライド式の板状物が収納されており、媒体の長さに合わせて、長さを調整する手段を備える、
ことを特徴とする請求項１から５のいずれか１項記載のスタッカ機構。
【請求項７】
装置本体で処理済みの媒体を積載するスタッカ機構において、
前記排紙されてきた媒体を積載するスタッカとして、スタッカの本体側にスライド式の媒体ストッパを備える、
ことを特徴とする請求項１から６のいずれか１項記載のスタッカ機構。
【請求項８】
装置本体で処理済みの媒体を積載するスタッカ機構において、
前記スタッカ折りたたみ手段として、スタッカの本体側に備えられたスライド式媒体ストッパが、スタッカ折りたたみ部の回転支点付近まで移動可能で、スライド式媒体ストッパがスタッカ折りたたみ部に覆い被さる状態の時にスタッカを折りたたんだ場合、スタッカの折りたたみ動作に伴い、スライド式媒体ストッパが本体部に連動して収納される手段を備える、
ことを特徴とする請求項１から７のいずれか１項記載のスタッカ機構。
【発明の詳細な説明】
【０００１】
【発明の属する技術分野】
この発明は、装置本体で処理済みの媒体を積載するスタッカ機構に関し、スタッカを折りたたんで収納できるようにすることで、装置の非稼働時の設置スペースを低減し、また、梱包時の梱包容積の縮小を実現するスタッカ機構に関するものである。
【０００２】
【従来の技術】
従来、装置本体で処理済みの媒体を積載するスタッカは、図１４に示すように、装置本体部５０からスタッカ５１が突出した形状をしていた。
【０００３】
このような形状となっていたため、装置の非稼働時にも、多くの設置スペースが必要であり、また、装置を工場から出荷するときに梱包する場合などでも、梱包容積が大きくなっていた。
【０００４】
これを解決するため、スタッカを分解可能な構造としておき、非稼働時や梱包時にはスタッカを取り外しておき、装置の設置時や、使用時にスタッカを組み立てて使用する方法が考案された。
【０００５】
しかし、このような分解、組み立て式のスタッカとすると、使用時に毎回分解されたスタッカを組み立て直す必要があり、使用者にとっては非常に煩雑で使いにくいものとなっていた。
【０００６】
【発明が解決しようとする課題】
前記のごとく、従来の技術では次のような問題点がある。
【０００７】
装置本体で処理済みの媒体を積載するスタッカが、装置本体部に対し、突出した形状となってしまうため、装置の非稼働時でも設置スペースが大きくなってしまっていた。また、装置の出荷時などに、装置を梱包する場合、梱包容積が大きくなってしまうという問題があった。
【０００８】
上記の問題を解決するため、装置本体からスタッカを取り外せる、分解、組み立てが可能なスタッカが考案されているが、このような方法では、装置の使用時にスタッカを組み立て直す必要があり、使用者にとって煩雑で、非常に使いにくいという問題があった。
【０００９】
この発明の課題は、装置本体で処理済みの媒体を積載するスタッカ機構において、スタッカを極力コンパクトに折りたたんで収納できるようにすることで、装置の非稼働時の設置スペースを低減し、また、装置梱包時の梱包容積を縮小することができるようになるスタッカ機構を実現することにある。
【００１０】
【課題を解決するための手段】
前記の問題点を解決するために、この発明では次に示す手段を取った。
【００１１】
図１に示すように、媒体排出ローラー３から排出された処理済み媒体を積載する装置本体部２の本体側媒体受け部２ａおよびスタッカ折りたたみ部１を備え、このスタッカ折りたたみ部１の媒体受け面１ａが、折りたたまれた状態から開いたとき、装置本体部２の本体側媒体受け部２ａより低い位置に固定されるように回転支点部４を設けるように構成する。
【００１２】
図２に示すように、スタッカ折りたたみ部１の回転支点部４を媒体受け面１ａの近傍に設置するように構成しても良い。
【００１３】
図３（ａ）に示すように、スタッカ折りたたみ部１を開いた後、スタッカ折りたたみ部１を装置本体部２側にスライドして寄せることができるよう構成しても良い。
【００１４】
このために、図３（ｂ）に示すように、スタッカ折りたたみ部１の回転支点部４を図のような小判状の形状とし、装置本体部２側のスタッカ折りたたみ部取り付け部２ｂに、回転支点部スライドガイド５を設けるようにしても良い。
【００１５】
図４に示すように、スタッカ折りたたみ部１を開いた後、スタッカ折りたたみ部１を装置本体部２側にスライドして寄せたとき、スタッカ折りたたみ部１の本体側端部を抑えるストッパ６を設けるようにしても良い。
【００１６】
図５に示すように、スタッカ折りたたみ部１を開くと、回転支点部４に取り付けられたスタッカ折りたたみ部スライドバネ７により、スタッカ折りたたみ部１が自動的に装置本体部２側にスライドして寄るように構成しても良い。
【００１７】
図６に示すように、スタッカ折りたたみ部１に、スライドして引き出すことができる板状物８を収納し、印刷媒体の長さに合わせてスタッカ折りたたみ部１の長さを調節できるように構成しても良い。
【００１８】
図７に示すように、装置本体部２の本体側媒体受け部２ａにスライド式の媒体ストッパ９を備えるように構成しても良い。
【００１９】
図８（ａ）に示すように、装置本体部２の本体側媒体受け部２ａに備えられた媒体ストッパ９が、スタッカ折りたたみ部１の回転支点部４の真上付近までスライドして移動可能で、媒体ストッパ９がこのようにスタッカ折りたたみ部１に覆い被さる状態まで移動していた場合、スタッカ折りたたみ部１を折りたたむことで、媒体ストッパ９がスタッカ折りたたみ部１により押し込められるようにして、同時に収納されるよう構成しても良い。
【００２０】
以上のような構成とすることで、装置の非稼働時や梱包時にはスタッカを折りたたんで収納し、設置スペースや梱包容積の縮小を図り、装置の使用時には、簡単にスタッカを開いて適正位置にセットすることができ、使用者の利便性を損なうこともない。
【００２１】
【発明の実施の形態】
この発明は、次に示す実施の形態を取った。
【００２２】
図１に示すように、媒体排出ローラー３から排出された処理済み媒体を積載する装置本体部２の本体側媒体受け部２ａおよびスタッカ折りたたみ部１を備え、このスタッカ折りたたみ部１の媒体受け面１ａが、折りたたまれた状態から開いたとき、装置本体部２の本体側媒体受け部２ａの面より低い位置に固定されるように回転支点部４を設けるように構成する。
【００２３】
これにより、排出された処理済みの媒体が、装置本体部２の本体側媒体受け部２ａ上を通り、スタッカ折りたたみ部１に積載されるとき、スタッカ折りたたみ部１と装置本体部２とのつなぎ目に媒体の先端が引っかかることがないようにできる。
【００２４】
図２に示すように、スタッカ折りたたみ部１の回転支点部４を媒体受け面１ａの近傍に設置するように構成しても良い。
【００２５】
これにより、図９（ｂ）に示すように、スタッカ折りたたみ部１を折りたたんだとき、図９（ａ）に示すような回転支点部４が媒体受け面から離れた位置に設置されているものより、折りたたんだときコンパクトに収納することができる。また、この収納状態のスタッカ折りたたみ部１の状態に装置の外形を合わせると、装置全体が不必要に大きくなることもあり、このような不必要に大きな装置サイズとならないようにできる。
【００２６】
図３（ｂ）に示すように、スタッカ折りたたみ部１の回転支点部４を図のような小判状の形状とし、装置本体部２側のスタッカ折りたたみ部取り付け部２ｂに、回転支点部スライドガイド５を設けることで、図３（ａ）に示すように、スタッカ折りたたみ部１を開いた後、スタッカ折りたたみ部１を装置本体部２側にスライドして寄せることができるよう構成しても良い。
【００２７】
スタッカ折りたたみ部１の回転支点部４を媒体受け面１ａの近傍に設けた場合、スタッカ折りたたみ部１を折りたたむとき、スタッカ折りたたみ部１の本体側端部と、装置本体部２との間にある程度の隙間がないと十分に折りたたむことができなくなる。
【００２８】
十分に折りたためるようにすると、図１０に示すように、スタッカ折りたたみ部１の本体側端部と、装置本体部２との間に大きな隙間があいてしまい、処理済みの媒体が、この隙間に引っかかることや、この隙間から下に落ちてしまうことがある。そこで、上記のように、スタッカ折りたたみ部１を開いた後、スライドして装置本体部２側に寄せることができるようにすることで、このような問題が起きないようにできる。
【００２９】
図４に示すように、スタッカ折りたたみ部１を開いた後、スタッカ折りたたみ部１を装置本体部２側にスライドして寄せたとき、スタッカ折りたたみ部１の本体側端部を抑えるストッパ６を設けるようにしても良い。
【００３０】
これにより、スタッカ折りたたみ部１に積載された媒体の重量を、このストッパ６で支えることで、積載された媒体が多量になった場合も、その重量に耐えることができるようになる。
【００３１】
図５に示すように、スタッカ折りたたみ部１を開くと、回転支点部４に取り付けられたスタッカ折りたたみ部スライドバネ７により、スタッカ折りたたみ部１が自動的に装置本体部２側にスライドして寄るように構成しても良い。
【００３２】
これにより、装置の使用者が、スタッカ折りたたみ部１を開いたときに、いちいちスライドさせて、装置本体部２側に寄せてやる必要がなくなり、確実にスタッカ折りたたみ部１を適正位置にセットすることができるようになる。
【００３３】
図６に示すように、スタッカ折りたたみ部１に、スライドして引き出すことができる板状物８を収納し、媒体の長さに合わせてスタッカ折りたたみ部１の長さを調節できるように構成しても良い。
【００３４】
スタッカ折りたたみ部１の長さは、折りたたんで収納した場合の装置全体の外形との関係から、その長さをあまり長くすることができない。このような場合でも、上記のように、スライドして引き出すことができる板状物８を備えることで、積載する媒体の長さがスタッカ折りたたみ部１の長さを超えるような長いものでも、その長さに合わせてスタッカの長さを調節することが可能となる。
【００３５】
図７に示すように、装置本体部２の本体側媒体受け部２ａにスライド式の媒体ストッパ９を備えるように構成しても良い。
【００３６】
媒体が短い場合、スタッカ折りたたみ部１を使用しないで、装置本体部２の本体側媒体受け部２ａで止めるようにした方が、媒体がきれいにまとまる場合があり、このような場合には、媒体ストッパ９が必要となる。そして、この媒体ストッパ９がスライドして動くことで、多様な大きさの媒体にも対応できるようになる。
【００３７】
図８（ａ）に示すように、装置本体部２の本体側媒体受け部２ａに備えられた媒体ストッパ９が、スタッカ折りたたみ部１の回転支点部４の真上付近までスライドして移動可能で、媒体ストッパ９がこのようにスタッカ折りたたみ部１に覆い被さる状態まで移動していた場合、スタッカ折りたたみ部１を折りたたむことで、媒体ストッパ９がスタッカ折りたたみ部１により押し込められるようにして、連動して収納されるよう構成しても良い。
【００３８】
これにより、媒体ストッパ９のスライド範囲を最大限に拡げて設定することができるようになり、より多様な大きさの媒体にも対応できるようになるとともに、媒体ストッパ９が図に示すように、スタッカ折りたたみ部１の回転支点部４の真上付近まで移動しているときでも、装置の使用者は、特に意識することなくスタッカ折りたたみ部１を折りたたむだけで、媒体ストッパ９も同時に収納することができ、利便性を損なうこともない。
【００３９】
【実施例】
この発明による代表的な実施例を説明する。なお、以下において、同じ箇所は同一の符号を付してあり、詳細な説明を省略することがある。
【００４０】
本スタッカは、図１１に示すような、装置本体で処理済みの媒体を積載しておくスタッカであり、不使用時にはコンパクトに収納が可能な、折りたたみ機構を備えている。
【００４１】
図１に示すように、装置本体から媒体排出ローラー３により排出された処理済みの媒体は、装置本体部２の本体側媒体受け部２ａの上を通ってスタッカ折りたたみ部１上に積載する。このとき、排出されてくる媒体の先端が、スタッカ折りたたみ部１と装置本体部２とのつなぎ目に引っかからないように、スタッカ折りたたみ部１を折りたたんだ状態から開いたときに、スタッカ折りたたみ部１の媒体受け面１ａの高さが装置本体部２の本体側媒体受け部２ａの高さより低い位置に来るように回転支点部４を設けている。
【００４２】
この回転支点部４を、図１に示すように、媒体受け面１ａから離れた位置に設けることもできるが、図２に示すように、媒体受け面１ａの近傍に設けるように構成することもできる。このようにした方が図９（ａ）、図９（ｂ）に示すように、スタッカ折りたたみ部１を折りたたんだとき、よりコンパクトに収納することができるようになる。
【００４３】
また、このスタッカ折りたたみ部１を装置に実装する上で、この収納状態のスタッカ折りたたみ部１の状態に装置の外形を合わせて設計することが多いが、このような場合、スタッカ折りたたみ部１の収納状態でのサイズが大きくなると、これに合わせて装置全体が不必要に大きくなることもあり、このような不必要に大きな装置サイズとならないようにできることともなる。
【００４４】
このようにスタッカ折りたたみ部１の回転支点部４を、媒体受け面１ａの近傍に設けた場合、収納後のサイズ的には有利となるのであるが、図１０に示すように、収納時のスタッカ折りたたみ部１の回転範囲を大きく取るためには、スタッカ折りたたみ部１と装置本体部２との間に大きな隙間をあける必要がある。
【００４５】
このような隙間があると、印刷済みの印刷媒体が装置本体部２の本体側媒体受け部２ａの上を通ってスタッカ折りたたみ部１の媒体受け面１ａに行く途中でこの隙間に引っかかることや、この隙間から下に落ちてしまうといった問題が発生する。
【００４６】
そこで、図３（ｂ）に示すように、スタッカ折りたたみ部１の回転支点部４を図のような小判状の形状とし、装置本体部２側のスタッカ折りたたみ部取り付け部２ｂに、回転支点部スライドガイド５を設けることで、図３（ａ）に示すように、スタッカ折りたたみ部１を開いた後、スタッカ折りたたみ部１を装置本体部２側にスライドして寄せることができるようにしている。
【００４７】
これにより、スタッカ折りたたみ部１と装置本体部２との間の隙間をなくすことができ、上記のような問題が発生しないようにすることができる。
【００４８】
スライドしてスタッカ折りたたみ部１を装置本体部２に寄せることで、つなぎ目の部分の隙間をなくすことができるが、それと同時に、図４に示すように、スタッカ折りたたみ部１を装置本体部２側にスライドして寄せたとき、スタッカ折りたたみ部１の本体側端部を抑えるストッパ６を設けるようにしている。
【００４９】
これにより、スタッカ折りたたみ部１に媒体が積載されることで、その重量により、スタッカ折りたたみ部１の先端部が回転支点部４を中心として下方向に押し下げられるように回転しようとする力が働くが、このストッパ６により本体側の端部が上に上がることを抑えることで、このような力に対してもスタッカ折りたたみ部１の先端部が下方向に回転してしまうことを防ぐことができる。
【００５０】
また、ストッパ６は、図４に示すように媒体受け面１ａに上から覆い被さる形となるので、排出された媒体が、装置本体部２の本体側媒体受け部２ａの上を通ってスタッカ折りたたみ部１の媒体受け面１ａに行く途中でつなぎ目で引っかかることを防ぐことにもなる。
【００５１】
上記のようなスタッカ折りたたみ部１をスライドさせて装置本体部２側に寄せる動作を、印刷を行うためにスタッカ折りたたみ部１を収納状態から開くとき、毎回装置の使用者に意識して行わせるのは、使用者にとって不便である。
【００５２】
そこで、図５に示すように、装置を使用するために、使用者が、スタッカ折りたたみ部１を収納状態から開くと、回転支点部４に取り付けられたスタッカ折りたたみ部スライドバネ７により、スタッカ折りたたみ部１が自動的に装置本体部２側にスライドして寄るようにしている。
【００５３】
これにより、装置の使用者は、スタッカの収納機構のこのような構造を意識する必要がなく、スタッカ折りたたみ部１を開くだけで、自動的に確実にスタッカ折りたたみ部１を最適な位置にセットすることができるようになる。
【００５４】
なお、このようなスタッカ折りたたみ部スライドバネ７は常にスタッカ折りたたみ部１を装置本体部２側に引っ張るように付圧しているが、スタッカ折りたたみ部１を収納した状態では、図１２に示すように、回転支点部４が小判状の形状をしているため、スタッカ折りたたみ部取り付け部２ｂの回転支点部スライドガイド５に入ることができず、スライドしてしまうことがないため、スタッカ折りたたみ部１の収納の妨げとなることはない。
【００５５】
本スタッカ機構の目的が折りたたんで収納することで、装置の設置スペースや梱包時の梱包容量を縮小することにあるので、スタッカ折りたたみ部１自体のサイズも、装置の外形との関係などから、あまり大きなものとすることができない。
【００５６】
ここで問題となるのは、装置本体で処理する媒体には、いろいろなサイズのものがあり、スタッカ折りたたみ部１のサイズよりも大きなサイズの媒体を扱う必要が発生した場合、どのように対応するかである。
【００５７】
そこで、図６に示すように、スタッカ折りたたみ部１に、スライドして引き出すことができる板状物８を収納し、積載する媒体の長さに合わせてスタッカ折りたたみ部１の長さを調節できるようにしている。
【００５８】
このようにすることで、スタッカ折りたたみ部１のサイズよりも大きなサイズの媒体をスタッカ折りたたみ部１に積載する場合、スタッカ折りたたみ部１に収納された板状物８を必要なときに引き出し、スタッカ折りたたみ部１の媒体受け面１ａを大きくすることで、大きなサイズの媒体にも対応することができるようになる。
【００５９】
媒体の大きさが小さいものの場合には、装置本体から媒体が排出される勢いにより、スタッカ上に媒体が散乱してしまうことがある。このように散乱するのを防ぐため、媒体ストッパが必要となることがある。
【００６０】
媒体ストッパは、媒体のサイズに合わせてスライドし、位置を変えられる必要があるが、スタッカが図１３（ａ）に示すように、連続している場合には、媒体ストッパのスライド範囲は図のように連続的に大きく取ることができるが、本スタッカの場合、途中で折りたたむため、このように連続的にスライドさせることができない。
【００６１】
そこで、図１３（ｂ）に示すように、スタッカ折りたたみ部１および装置本体部２の本体側媒体受け部２ａの両方にスライド式の媒体ストッパ９を備えており、媒体のサイズによりどちらかの媒体ストッパ９を選択して使用できるようになっている。
【００６２】
ここで、より多くのサイズに対応するためには、このスライド量を極力大きく取る必要がある。そこで装置本体部２の本体側媒体受け部２ａ側の媒体ストッパ９が、図１３（ｂ）に示すように、媒体ストッパ９の端部がスタッカ折りたたみ部１の回転支点部４の真上付近までスライドできるようになっている。
【００６３】
さらに、このように装置本体部２の本体側媒体受け部２ａ側の媒体ストッパ９の端部がスタッカ折りたたみ部１の上に覆い被さる状態までスライドさせた場合にも、スタッカ折りたたみ部１を折りたたむとき、スタッカ折りたたみ部１の媒体受け面１ａがこの媒体ストッパ９の端部を押し込むようにしてスライドさせるため、スタッカ折りたたみ部１を折りたたむだけで、これと同時に媒体ストッパ９も連動して収納されるようになっている。
【００６４】
これにより、装置の使用者は、多様なサイズの媒体を使用することができるとともに、その構造を意識することなく、確実にスタッカ折りたたみ部１を折りたたんで収納することができる。
【００６５】
【発明の効果】
この発明により、以下に示すような効果が期待できる。
【００６６】
装置本体で処理済みの媒体を積載するスタッカ機構において、スタッカが装置本体から突出した形状となっており、装置の非稼動時や、装置出荷のための梱包時などに、このスタッカの突出部分の分だけより多くの容積が必要となっていた。
【００６７】
また、これを解決するため、装置本体部からスタッカを取り外すことができる、分解、組み立て可能なスタッカ機構が考案されたが、この場合、装置を使用する使用者は、使用するときスタッカを組み立て直す必要があり、非常に使い難いものとなっていた。
【００６８】
本発明を利用することにより、装置の使用者の利便性を損なうことなく、装置の非稼働時や、装置出荷のための梱包時などに、スタッカを折りたたんでコンパクトに装置本体に収納することで、設置スペースの低減や、梱包容積の縮小を実現することができる。
【図面の簡単な説明】
【図１】スタッカ折りたたみ部の媒体受け面と本体側媒体受け部との高さの関係の説明図である。
【図２】回転支点部を媒体受け面近傍にした場合の説明図である。
【図３】スタッカ折りたたみ部を開いた後、本体側にスライドさせる手段の説明図である。
【図４】スタッカ折りたたみ部の端部を抑える構造の説明図である。
【図５】スタッカ折りたたみ部を開くと自動的に本体側にスライドして寄せる手段の説明図である。
【図６】スタッカ折りたたみ部内に媒体の長さに合わせて引き出せる板状物を格納してある場合の説明図である。
【図７】装置本体部にスライド式の媒体ストッパを設けた場合の説明図である。
【図８】スタッカ折りたたみ部を閉じると、媒体ストッパも連動して収納される動作の説明図である。
【図９】回転支点部を媒体受け面近傍に設けた場合の効果の説明図である。
【図１０】回転支点部を媒体受け面近傍に設けた場合の収納動作説明図である。
【図１１】本発明の実施例構成図である。
【図１２】スタッカ折りたたみ部を収納した場合のスライドストップ機構の説明図である。
【図１３】媒体ストッパの説明図である。
【図１４】従来の装置におけるスタッカの構成図である。
【符号の説明】
１：スタッカ折りたたみ部
１ａ：媒体受け面
２：装置本体部
２ａ：本体側媒体受け部
２ｂ：スタッカ折りたたみ部取り付け部
３：媒体排出ローラー
４：回転支点部
５：回転支点部スライドガイド
６：ストッパ
７：スタッカ折りたたみ部スライドバネ
８：板状物
９：媒体ストッパ
【図１】
2004051350.tif 000003
【図２】
2004051350.tif 000004
【図３】
2004051350.tif 000005
【図４】
2004051350.tif 000006
【図５】
2004051350.tif 000007
【図６】
2004051350.tif 000008
【図７】
2004051350.tif 000009
【図８】
2004051350.tif 000010
【図９】
2004051350.tif 000011
【図１０】
2004051350.tif 000012
【図１１】
2004051350.tif 000013
【図１２】
2004051350.tif 000014
【図１３】
2004051350.tif 000015
【図１４】
2004051350.tif 000016